【手続補正書】
【提出日】平成15年5月22日(2003.5.22)
【手続補正１】
【補正対象書類名】明細書
【補正対象項目名】特許請求の範囲
【補正方法】変更
【補正の内容】
【特許請求の範囲】
【請求項１】
以下の式（Ｉ）：
【化１】
2004517054.tif 000001
［式中、Ｙ1、Ｙ2、Ｙ3、及びＹ4は、窒素原子、ＣＨ基、又はＣ（Ｌ）基から独立して選択され；
Ｒ1は、水素原子、Ｃ1-8アルキル基、Ｃ2-8アルケニル基、Ｃ2-8アルキニル基、Ｃ3-7シクロアルキル基、Ｃ1-8アルコキシ基、ハロゲン原子で置換されたＣ1-8アルコキシ基、Ｃ1-8アルキル−Ｓ（Ｏ）ｍ−基、Ｑ1−基、ピロリジニル基、ピペリジル基、オキソピロリジニル基、オキソピペリジル基、アミノ基、モノ−又はジ−（Ｃ1-8アルキル）アミノ基、Ｃ1-4アルキル−Ｃ（＝Ｏ）−Ｎ（Ｒ3）−基、又はＣ1-4アルキル−Ｓ（Ｏ）ｍ−Ｎ（Ｒ3）−基であり、ここで、前記Ｃ1-8アルキル基、Ｃ2-8アルケニル基、及びＣ2-8アルキニル基は、場合により、ハロゲン原子、Ｃ1-3アルキル基、ヒドロキシ基、オキソ基、Ｃ1-4アルコキシ−基、Ｃ1-4アルキル−Ｓ（Ｏ）ｍ−基、Ｃ3-7シクロアルキル−基、シアノ基、インダニル基、１，２，３，４−テトラヒドロナフチル基、１，２−ジヒドロナフチル基、ピロリジニル基、ピペリジル基、オキソピロリジニル基、オキソピペリジル基、Ｑ1−基、Ｑ1−Ｃ（＝Ｏ）−基、Ｑ1−Ｏ−基、Ｑ1−Ｓ（Ｏ）ｍ−基、Ｑ1−Ｃ1-4アルキル−Ｏ−基、Ｑ1−Ｃ1-4アルキル−Ｓ（Ｏ）ｍ−基、Ｑ1−Ｃ1-4アルキル−Ｃ（Ｏ）−Ｎ（Ｒ3）−基、Ｑ1−Ｃ1-4アルキル−Ｎ（Ｒ3）−基、又はＣ1-4アルキル−Ｃ（Ｏ）−Ｎ（Ｒ3）−基で置換されていることがあり；
Ｑ1は、場合により、酸素原子、窒素原子、及びイオウ原子から選択されるヘテロ原子４つ以下を含むことがあり、且つ場合により、ハロゲン原子、Ｃ1-4アルキル基、ハロゲン原子で置換されたＣ1-4アルキル基、ヒドロキシ基、Ｃ1-4アルコキシ基、ハロゲン原子で置換されたＣ1-4アルコキシ基、Ｃ1-4アルキルチオ基、ニトロ基、アミノ基、モノ−又はジ−（Ｃ1-4アルキル）アミノ基、シアノ基、ＨＯ−Ｃ1-4アルキル基、Ｃ1-4アルコキシ−Ｃ1-4アルキル基、Ｃ1-4アルキルスルホニル基、アミノスルホニル基、Ｃ1-4アルキルＣ（＝Ｏ）−基、ＨＯ（Ｏ＝）Ｃ−基、Ｃ1-4アルキル−Ｏ（Ｏ＝）Ｃ−基、Ｒ3Ｎ（Ｒ4）Ｃ（＝Ｏ）−基、Ｃ1-4アルキルスルホニルアミノ基、Ｃ3-7シクロアルキル基、Ｒ3Ｃ（＝Ｏ）Ｎ（Ｒ4）−基、又はＮＨ2（ＨＮ＝）Ｃ−基で置換されていることがある５〜１２員の単環式又は二環式芳香族環基であり；
Ａは、場合により、酸素原子、窒素原子、及びイオウ原子から選択されるヘテロ原子３つ以下を含むことがある５〜６員の単環式芳香族環基であり、ここで、前記５〜６員の単環式芳香族環基は、場合により、ハロゲン原子、Ｃ1-4アルキル基、ハロゲン原子で置換されたＣ1-4アルキル基、ヒドロキシ基、Ｃ1-4アルコキシ基、ハロゲン原子で置換されたＣ1-4アルコキシ基、Ｃ1-4アルキルチオ基、ニトロ基、アミノ基、モノ−又はジ−（Ｃ1-4アルキル）アミノ基、シアノ基、ＨＯ−Ｃ1-4アルキル基、Ｃ1-4アルコキシ−Ｃ1-4アルキル基、Ｃ1-4アルキルスルホニル基、アミノスルホニル基、アセチル基、Ｒ3Ｎ（Ｒ4）Ｃ（＝Ｏ）−基、ＨＯ（Ｏ＝）Ｃ−基、Ｃ1-4アルキル−Ｏ（Ｏ＝）Ｃ−基、Ｃ1-4アルキルスルホニルアミノ基、Ｃ3-7シクロアルキル基、Ｒ3Ｃ（＝Ｏ）Ｎ（Ｒ4）−基、及びＮＨ2（ＨＮ＝）Ｃ−基から選択される置換基３つ以下で置換されていることがあり；
Ｂは、ハロゲン原子で置換されたＣ1-6アルキレン基、Ｃ3-7シクロアルキレン基、Ｃ2-6アルケニレン基、Ｃ2-6アルキニレン基、−Ｏ−Ｃ1-5アルキレン基、Ｃ1-2アルキレン−Ｏ−Ｃ1-2アルキレン基、又はＣ1-6アルキレン基であって、場合により、オキソ基又はＣ1−3アルキル基で置換されていることがあり；
Ｗは、ＮＨ基、Ｎ−Ｃ1-4アルキル基、酸素原子、イオウ原子、Ｎ−ＯＲ5基、又は共有結合であり；
Ｒ2は、水素原子、Ｃ1-4アルキル基、ＯＨ基、又はＣ1-4アルコキシ基であり；
Ｚは、場合により、酸素原子、窒素原子、及びイオウ原子から選択されるヘテロ原子３つ以下を含むことがある５〜１２員の単環式又は二環式芳香族環基であり、ここで、前記５〜１２員の単環式又は二環式芳香族環基は、場合により、ハロゲン原子、Ｃ1-4アルキル基、ハロゲン原子で置換されたＣ1-4アルキル基、Ｃ1-4アルケニル基、Ｃ1-4アルキニル基、ヒドロキシ基、Ｃ1-4アルコキシ基、ハロゲン原子で置換されたＣ1-4アルコキシ基、Ｃ1-4アルキルチオ基、ニトロ基、アミノ基、モノ−又はジ−（Ｃ1-4アルキル）アミノ基、シアノ基、ＨＯ−Ｃ1-4アルキル基、Ｃ1-4アルコキシ−Ｃ1-4アルキル基、Ｃ1-4アルキルスルホニル基、アミノスルホニル基、Ｃ1-4アルキルＣ（＝Ｏ）−基、Ｒ3Ｃ（＝Ｏ）Ｎ（Ｒ4）−基、ＨＯ（Ｏ＝）Ｃ−基、Ｃ1-4アルキル−Ｏ（Ｏ＝）Ｃ−基、Ｃ1-4アルキルスルホニルアミノ基、Ｃ3-7シクロアルキル基、ＮＨ2（ＨＮ＝）Ｃ−基、Ｑ2−Ｓ（Ｏ）ｍ−基、Ｑ2−Ｏ−基、Ｑ2−Ｎ（Ｒ3）−基、又はＱ2−基で置換されていることがあり；
Ｌは、ハロゲン原子、Ｃ1-4アルキル基、ハロゲン原子で置換されたＣ1-4アルキル基、ヒドロキシ基、Ｃ1-4アルコキシ基、ハロゲン原子で置換されたＣ1-4アルコキシ基、Ｃ1-4アルキルチオ基、ニトロ基、アミノ基、モノ−又はジ−（Ｃ1-4アルキル）アミノ基、シアノ基、ＨＯ−Ｃ1-4アルキル基、Ｃ1-4アルコキシ−Ｃ1-4アルキル基、Ｃ1-4アルキルスルホニル基、アミノスルホニル基、Ｃ1-4アルキルＣ（＝Ｏ）−基、ＨＯ（Ｏ＝）Ｃ−基、Ｃ1-4アルキル−Ｏ（Ｏ＝）Ｃ−基、Ｃ1-4アルキルスルホニルアミノ基、Ｃ3-7シクロアルキル基、Ｒ3Ｃ（＝Ｏ）Ｎ（Ｒ4）−基、ＮＨ2（ＨＮ＝）Ｃ−基、Ｒ3Ｎ（Ｒ4）Ｃ（＝Ｏ）−基、Ｒ3Ｎ（Ｒ4）Ｓ（Ｏ）ｍ−基、Ｑ2−基、Ｑ2−Ｃ（＝Ｏ）−基、Ｑ2−Ｏ−基、Ｑ2−Ｃ1-4アルキル−Ｏ−基であるか、あるいは隣接するＬ基２つが、場合により一緒になって、環メンバー３又は４つを有し、前記環メンバーの内の炭素原子１つ又は（隣接していない）炭素原子２つが酸素原子で場合により置換されていることがあるアルキレン鎖を形成することがあり；
ｍは、０、１、又は２であり；
Ｒ3及びＲ4は、水素原子及びＣ1-4アルキル基から独立して選択され；
Ｒ5は、水素原子、Ｃ1-4アルキル基、Ｃ1-4アルキル−（Ｏ＝）Ｃ−基、又はＣ1-4アルキル−Ｏ−（Ｏ＝）Ｃ−基であり；そして
Ｑ2は、５〜１２員の単環式若しくは二環式芳香族環基、又は５〜１２員の三環式環基であって、場合により、酸素原子、窒素原子、及びイオウ原子から選択されるヘテロ原子３つ以下を含むことがあり、ここで、前記５〜１２員の単環式又は二環式芳香族環基は、場合により、ハロゲン原子、Ｃ1-4アルキル基、ハロゲン原子で置換されたＣ1-4アルキル基、Ｃ1-4アルケニル基、Ｃ1-4アルキニル基、ヒドロキシ基、Ｃ1-4アルコキシ基、ハロゲン原子で置換されたＣ１1-4アルコキシ基、Ｃ1-4アルキルチオ基、ニトロ基、アミノ基、モノ−又はジ−（Ｃ1-4アルキル）アミノ基、シアノ基、ＨＯ−Ｃ1-4アルキル基、Ｃ1-4アルコキシ−Ｃ1-4アルキル基、Ｃ1-4アルキルスルホニル基、アミノスルホニル基、Ｃ1-4アルキル−（Ｏ＝）Ｃ−基、Ｒ3（Ｒ4）Ｃ（＝Ｏ）Ｎ−基、ＨＯ（Ｏ＝）Ｃ−基、Ｃ1-4アルキル−Ｏ（Ｏ＝）Ｃ−基、Ｃ1-4アルキルスルホニルアミノ基、Ｃ3-7シクロアルキル基、Ｃ1-4アルキル−Ｃ（＝Ｏ）ＮＨ−基、又はＮＨ2（ＨＮ＝）Ｃ−基で置換されていることがある］で表される化合物又は薬剤学的に許容することのできるその塩。
【請求項２】
Ｙ1、Ｙ2、Ｙ3、及びＹ4が、窒素原子、ＣＨ基、及びＣ（Ｌ）基から独立して選択され；
Ｒ1が、水素原子、Ｃ1-8アルキル基、Ｃ2-8アルケニル基、Ｃ2-8アルキニル基、Ｃ3-7シクロアルキル基、Ｃ1-8アルコキシ基、ハロゲン原子で置換されたＣ1-8アルコキシ基、Ｃ1-8アルキル−Ｓ（Ｏ）ｍ−基、Ｑ1−基、ピロリジニル基、ピペリジル基、オキソピロリジニル基、オキソピペリジル基、アミノ基、モノ−又はジ−（Ｃ1-8アルキル）アミノ基、Ｃ1-4アルキル−Ｃ（＝Ｏ）−Ｎ（Ｒ3）−基、又はＣ1-4アルキル−Ｓ（Ｏ）ｍ−Ｎ（Ｒ3）−基であり、ここで、前記Ｃ1-8アルキル基、Ｃ2-8アルケニル基、及びＣ2-8アルキニル基は、場合により、ハロゲン原子、Ｃ1-3アルキル基、ヒドロキシ基、オキソ基、Ｃ1-4アルコキシ−基、Ｃ1-4アルキル−Ｓ（Ｏ）ｍ−基、Ｃ3-7シクロアルキル−基、シアノ基、インダニル基、１，２，３，４−テトラヒドロナフチル基、１，２−ジヒドロナフチル基、ピロリジニル基、ピペリジル基、オキソピロリジニル基、オキソピペリジル基、Ｑ1−基、Ｑ1−Ｃ（＝Ｏ）−基、Ｑ1−Ｏ−基、Ｑ1−Ｓ（Ｏ）ｍ−基、Ｑ1−Ｃ1-4アルキル−Ｏ−基、Ｑ1−Ｃ1-4アルキル−Ｓ（Ｏ）ｍ−基、Ｑ1−Ｃ1-4アルキル−Ｃ（＝Ｏ）−Ｎ（Ｒ3）−基、又はＣ1-4アルキル−Ｃ（＝Ｏ）−Ｎ（Ｒ3）−基で置換されていることがあり；
Ｑ1が、場合により、酸素原子、窒素原子、及びイオウ原子から選択されるヘテロ原子４つ以下を含むことがあり、且つ場合により、ハロゲン原子、Ｃ1-4アルキル基、ハロゲン原子で置換されたＣ1-4アルキル基、ヒドロキシ基、Ｃ1-4アルコキシ基、ハロゲン原子で置換されたＣ1-4アルコキシ基、Ｃ1-4アルキルチオ基、ニトロ基、アミノ基、モノ−又はジ−（Ｃ1-4アルキル）アミノ基、シアノ基、ＨＯ−Ｃ1-4アルキル基、Ｃ1-4アルコキシ−Ｃ1-4アルキル基、Ｃ1-4アルキルスルホニル基、アミノスルホニル基、Ｃ1-4アルキルＣ（＝Ｏ）−基、ＨＯ（Ｏ＝）Ｃ−基、Ｃ1-4アルキル−Ｏ（Ｏ）Ｃ−基、Ｒ3Ｎ（Ｒ4）Ｃ（＝Ｏ）−基、Ｃ1-4アルキルスルホニルアミノ基、Ｃ3-7シクロアルキル基、Ｒ3Ｃ（＝Ｏ）Ｎ（Ｒ4）−基、又はＮＨ2（ＨＮ＝）Ｃ−基で置換されていることがある５〜１２員の単環式又は二環式芳香族環基であり；
Ａが、場合により、酸素原子、窒素原子、及びイオウ原子から選択されるヘテロ原子２つ以下を含むことがある５〜６員の単環式芳香族環基であり、ここで、前記５〜６員の単環式芳香族環基は、場合により、ハロゲン原子、Ｃ1-4アルキル基、ハロゲン原子で置換されたＣ1-4アルキル基、ヒドロキシ基、Ｃ1-4アルコキシ基、及びハロゲン原子で置換されたＣ1-4アルコキシ基から選択される置換基２つ以下で置換されていることがあり；
Ｂが、場合によりオキソ基又はＣ1-3アルキル基で置換されていることがあるＣ3-7シクロアルキレン基又はＣ1-6アルキレン基であり；
Ｗが、ＮＨ基、Ｎ−Ｃ1-4アルキル基、酸素原子、又はＮ−ＯＨ基であり；
Ｒ2が、水素原子又はＣ1-4アルキル基であり；
Ｚが、場合により窒素原子及びイオウ原子から選択されるヘテロ原子３つ以下を含むことがある５〜１２員の単環式又は二環式芳香族環基であり、ここで、前記５〜１２員の単環式又は二環式芳香族環基は、場合により、ハロゲン原子、Ｃ1-4アルキル基、ハロゲン原子で置換されたＣ1-4アルキル基、Ｃ1-4アルケニル基、ヒドロキシ基、Ｃ1-4アルコキシ基、ニトロ基、アミノ基、シアノ基、ＨＯ−Ｃ1-4アルキル基、Ｃ1-4アルキルスルホニル基、アミノスルホニル基、Ｃ1-4アルキルＣ（＝Ｏ）−基、Ｒ3Ｃ（＝Ｏ）Ｎ（Ｒ4）−基、ＨＯ（Ｏ＝）Ｃ−基、Ｃ1-4アルキル−Ｏ（Ｏ＝）Ｃ−基、Ｃ1-4アルキルスルホニルアミノ基、Ｃ1-4アルキル−Ｃ（＝Ｏ）ＮＨ−基、Ｑ2−Ｓ（Ｏ）ｍ−基、Ｑ2−Ｏ−基、Ｑ2−Ｎ（Ｒ3）−基、又はＱ2−基で置換されていることがあり；
Ｌが、ハロゲン原子、Ｃ1-4アルキル基、ハロゲン原子で置換されたＣ1-4アルキル基、ヒドロキシ基、Ｃ1-4アルコキシ基、モノ−又はジ−（Ｃ1-4アルキル）アミノ基、ハロゲン原子で置換されたＣ1-4アルコキシ基、シアノ基、ＨＯ−Ｃ1-4アルキル基、Ｃ1-4アルコキシ−Ｃ1-4アルキル基、Ｃ1-4アルキルスルホニル基、アミノスルホニル基、Ｃ1-4アルキルＣ（＝Ｏ）−基、ＨＯ（Ｏ＝）Ｃ−基、Ｃ1-4アルキル−Ｏ（Ｏ＝）Ｃ−基、Ｃ1-4アルキルスルホニルアミノ基、Ｃ3-7シクロアルキル基、Ｒ3Ｃ（＝Ｏ）Ｎ（Ｒ4）−基、Ｒ3Ｎ（Ｒ4）Ｃ（＝Ｏ）−基、Ｒ3Ｎ（Ｒ4）Ｓ（Ｏ）ｍ−基、Ｑ2−基、Ｑ2−Ｃ（＝Ｏ）−基、Ｑ2−Ｏ−基、Ｑ2−Ｃ1-4アルキル−Ｏ−基であるか、あるいは隣接するＬ基２つが、場合により一緒になって、環メンバー３又は４つを有し、前記環メンバーの内の炭素原子１つ又は（隣接していない）炭素原子２つが酸素原子で場合により置換されていることがあるアルキレン鎖を形成することがあり；
ｍが、０又は２であり；
Ｒ3及びＲ4が、水素原子及びＣ1-4アルキル基から独立して選択され；そして
Ｑ2が、５〜１２員の単環式若しくは二環式芳香族環基、又は８〜１２員の三環式環基であって、場合により、酸素原子、窒素原子、及びイオウ原子から選択されるヘテロ原子３つ以下を含むことがあり、ここで、前記５〜１２員の単環式又は二環式芳香族環基は、場合により、ハロゲン原子、Ｃ1-4アルキル基、ハロゲン原子で置換されたＣ1-4アルキル基、Ｃ1-4アルケニル基、Ｃ1-4アルキニル基、ヒドロキシ基、Ｃ1-4アルコキシ基、ハロゲン原子で置換されたＣ1-4アルコキシ基、Ｃ1-4アルキルチオ基、モノ−又はジ−（Ｃ1-4アルキル）アミノ基、シアノ基、ＨＯ−Ｃ1-4アルキル基、Ｃ1-4アルコキシ−Ｃ1-4アルキル基、Ｃ1-4アルキルスルホニル基、アミノスルホニル基、Ｃ1-4アルキル−（Ｏ＝）Ｃ−基、Ｒ3（Ｒ4）Ｃ（＝Ｏ）Ｎ−基、ＨＯ（Ｏ＝）Ｃ−基、Ｃ1-4アルキル−Ｏ（Ｏ＝）Ｃ−基、Ｃ1-4アルキルスルホニルアミノ基、Ｃ3-7シクロアルキル基、又はＣ1-4アルキル−Ｃ（＝Ｏ）ＮＨ−基で置換されていることがある、請求項１に記載の化合物。
【請求項３】
Ｙ1、Ｙ2、Ｙ3、及びＹ4が、窒素原子、ＣＨ基、及びＣ（Ｌ）基から独立して選択され；
Ｒ1が、水素原子、Ｃ1-8アルキル基、Ｃ2-8アルケニル基、Ｃ2-8アルキニル基、Ｃ3-7シクロアルキル基、Ｑ1−基、ピロリジニル基、ピペリジル基、オキソピロリジニル基、オキソピペリジル基、アミノ基、モノ−又はジ−（Ｃ1-8アルキル）アミノ基であり、ここで、前記Ｃ1-8アルキル基は、場合により、ハロゲン原子、Ｃ1-3アルキル基、ヒドロキシ基、オキソ基、Ｃ1-4アルコキシ−基、Ｃ1-4アルキル−Ｓ（Ｏ）ｍ−基、Ｃ3-7シクロアルキル−基、シアノ基、インダニル基、ピロリジニル基、ピペリジル基、オキソピロリジニル基、オキソピペリジル基、Ｑ1−基、Ｑ1−Ｃ（Ｏ）−基、Ｑ1−Ｏ−基、Ｑ1−Ｓ−基、Ｑ1−Ｃ1-4アルキル−Ｏ−基、又はＣ1-4アルキル−Ｃ（Ｏ）−Ｎ（Ｒ3）−基で置換されていることがあり；
Ｑ1が、場合により窒素原子及びイオウ原子から選択されるヘテロ原子４つ以下を含むことがあり、且つ場合により、ハロゲン原子、Ｃ1-4アルキル基、Ｃ1-4アルキルスルホニル基、又はＣ1-4アルキルＣ（＝Ｏ）−基で置換されていることがある５〜１２員の単環式芳香族環基であり；
Ａが、場合により、ハロゲン原子、Ｃ1-4アルキル基、又はＣ1-4アルコキシ基で置換されていることのある５〜６員の単環式芳香族環基であり；
Ｂが、場合によりオキソ基又はＣ1-3アルキル基で置換されていることがあるＣ3-7シクロアルキレン基又はＣ1-6アルキレン基であり；
Ｗが、ＮＨ基、Ｎ−Ｃ1-4アルキル基、酸素原子、又はＮ−ＯＨ基であり；
Ｒ2が、水素原子又はＣ1-4アルキル基であり；
Ｚが、場合により窒素原子及びイオウ原子から選択されるヘテロ原子３つ以下を含むことがある５〜１２員の単環式又は二環式芳香族環基であり、ここで、前記５〜１２員の単環式又は二環式芳香族環基は、場合により、ハロゲン原子、Ｃ1-4アルキル基、ハロゲン原子で置換されたＣ1-4アルキル基、Ｃ1-4アルケニル基、Ｃ1-4アルコキシ基、ニトロ基、アミノ基、シアノ基、Ｒ3Ｃ（＝Ｏ）Ｎ（Ｒ4）−基、Ｃ1-4アルキル−Ｏ（Ｏ＝）Ｃ−基、Ｑ2−Ｓ（Ｏ）ｍ−基、Ｑ2−Ｏ−基、Ｑ2−Ｎ（Ｒ3）−基、又はＱ2−基で置換されていることがあり；
Ｌが、ハロゲン原子、Ｃ1-4アルキル基、ハロゲン原子で置換されたＣ1-4アルキル基、ヒドロキシ基、Ｃ1-4アルコキシ基、ハロゲン原子で置換されたＣ1-4アルコキシ基、モノ−又はジ−（Ｃ1-4アルキル）アミノ基、シアノ基、ＨＯ−Ｃ1-4アルキル基、Ｃ1-4アルキルスルホニル基、アミノスルホニル基、Ｃ1-4アルキルＣ（＝Ｏ）−基、ＨＯ（Ｏ＝）Ｃ−基、Ｃ1-4アルキル−Ｏ（Ｏ＝）Ｃ−基、Ｃ1-4アルキルスルホニルアミノ基、Ｃ3-7シクロアルキル基、Ｒ3Ｃ（＝Ｏ）Ｎ（Ｒ4）−基、Ｒ3Ｎ（Ｒ4）Ｃ（＝Ｏ）−基、Ｒ3Ｎ（Ｒ4）Ｓ（Ｏ）ｍ−基、Ｑ2−基、Ｑ2−Ｃ（＝Ｏ）−基、Ｑ2−Ｏ−基、Ｑ2−Ｃ1-4アルキル−Ｏ−基であるか、あるいは隣接するＬ基２つが、場合により一緒になって、環メンバー３又は４つを有し、前記環メンバーの内の炭素原子１つ又は（隣接していない）炭素原子２つが酸素原子で場合により置換されていることがあるアルキレン鎖を形成することがあり；
ｍが、０又は２であり；
Ｒ3及びＲ4が、水素原子及びＣ1-4アルキル基から独立して選択され；そして  Ｑ2が、５若しくは６員の単環式芳香族環基、又は８〜１２員の三環式環基であって、窒素原子及びイオウ原子から選択されるヘテロ原子３つ以下を含んでおり、ここで、前記５又は６員の単環式芳香族環基は、場合によりハロゲン原子で置換されていることがある、請求項２に記載の化合物。
【請求項４】
Ｙ1、Ｙ2、Ｙ3、及びＹ4が、窒素原子、ＣＨ基、及びＣ（Ｌ）基から独立して選択され；
Ｒ1が、水素原子、Ｃ1-8アルキル基、Ｃ2-8アルケニル基、Ｃ2-8アルキニル基、又はＣ3-7シクロアルキル基であり、ここで、前記Ｃ1-8アルキル基は、場合により、ハロゲン原子、Ｃ1-3アルキル基、ヒドロキシ基、オキソ基、Ｃ1-4アルコキシ−基、Ｃ1-4アルキル−Ｓ（Ｏ）ｍ−基、Ｃ3-7シクロアルキル−基、シアノ基、インダニル基、ピロリジニル基、ピペリジル基、オキソピロリジニル基、オキソピペリジル基、Ｑ1−基、Ｑ1−Ｃ（＝Ｏ）−基、Ｑ1−Ｏ−基、Ｑ1−Ｓ−基、Ｑ1−Ｃ1-4アルキル−Ｏ−基、又はＣ1-4アルキル−Ｃ（Ｏ）−Ｎ（Ｒ3）−基で置換されていることがあり；
Ｑ1が、場合により窒素原子及びイオウ原子から選択されるヘテロ原子４つ以下を含むことがある５又は６員の単環式芳香族環基であり；
Ａが、場合によりハロゲン原子又はＣ1-4アルキル基で置換されていることのある５〜６員の単環式芳香族環系であり；
Ｂが、又は、場合によりオキソ基又はＣ1-3アルキル基で置換されていることのあるＣ3-7シクロアルキレン基又はＣ1-6アルキレン基であり；
Ｗが、ＮＨ基、Ｎ−Ｃ1-4アルキル基、酸素原子、又はＮ−ＯＨ基であり；
Ｒ2が、水素原子又はＣ1-4アルキル基であり；
Ｚが、場合により窒素原子及びイオウ原子から選択されるヘテロ原子３つ以下を含むことがある５〜１２員の単環式又は二環式芳香族環基であり、ここで、前記５〜１２員の単環式又は二環式芳香族環基は、場合により、ハロゲン原子、Ｃ1-4アルキル基、ハロゲン原子で置換されたＣ1-4アルキル基、Ｃ1-4アルケニル基、Ｃ1-4アルコキシ基、ニトロ基、アミノ基、シアノ基、Ｒ3Ｃ（＝Ｏ）Ｎ（Ｒ4）−基、Ｃ1-4アルキル−Ｏ（Ｏ＝）Ｃ−基、Ｑ2−Ｓ（Ｏ）ｍ−基、Ｑ2−Ｏ−基、Ｑ2−Ｎ（Ｒ3）−基、又はＱ2−基で置換されていることがあり；
Ｌが、ハロゲン原子、Ｃ1-4アルキル基、ハロゲン原子で置換されたＣ1-4アルキル基、ヒドロキシ基、Ｃ1-4アルコキシ基、ハロゲン原子で置換されたＣ1-4アルコキシ基、シアノ基、ＨＯ−Ｃ1-4アルキル基、Ｃ1-4アルキルスルホニル基、アミノスルホニル基、Ｃ1-4アルキルＣ（＝Ｏ）基、ＨＯ（Ｏ＝）Ｃ−基、Ｃ1-4アルキル−Ｏ（Ｏ＝）Ｃ−基、Ｃ1-4アルキルスルホニルアミノ基、Ｃ3-7シクロアルキル基、Ｒ3Ｃ（＝Ｏ）ＮＲ4−基、Ｒ3Ｎ（Ｒ4）Ｃ（＝Ｏ）−基、Ｒ3Ｎ（Ｒ4）Ｓ（Ｏ）ｍ−基、Ｑ2−基、Ｑ2−Ｃ（＝Ｏ）−基、Ｑ2−Ｏ−基、Ｑ2−Ｃ1-4アルキル−Ｏ−基であるか、あるいは隣接するＬ基２つが、場合により一緒になって、環メンバー３又は４つを有し、前記環メンバーの内の炭素原子１つ又は（隣接していない）炭素原子２つが酸素原子で場合により置換されていることがあるアルキレン鎖を形成することがあり；
ｍが、０又は２であり；
Ｒ3及びＲ4が、水素原子及びＣ1-4アルキル基から独立して選択され；そして  Ｑ2が、５若しくは６員の単環式芳香族環基、又は８〜１２員の三環式環基であって、場合によりイオウ原子１つを含むことがあり、ここで、前記５又は６員の単環式芳香族環基は、場合によりハロゲン原子で置換されていることがある、請求項３に記載の化合物。
【請求項５】
Ｙ1、Ｙ2、Ｙ3、及びＹ4が、窒素原子、ＣＨ基、及びＣ（Ｌ）基から独立して選択され；
Ｒ1が、Ｃ1-5アルキル基、又はＣ3-7シクロアルキル基であり、ここで、前記Ｃ1-5アルキル基は、場合により、Ｃ1-3アルキル基、ヒドロキシ基、オキソ基、ピロリジニル基、ピペリジル基、オキソピロリジニル基、オキソピペリジル基、Ｑ1−基、又はＣ1-4アルキル−Ｃ（Ｏ）−Ｎ（Ｈ）−基で置換されていることがあり；
Ｑ1が、場合により窒素原子及びイオウ原子から選択されるヘテロ原子２つ以下を含むことがある５〜１２員の単環式芳香族環系であり；
Ａが、５〜６員の単環式芳香族環系であり；
Ｂが、場合によりＣ1-3アルキル基で置換されていることのあるＣ1-3アルキレン基であり；
Ｗが、ＮＨ基、Ｎ−Ｃ1-2アルキル基、又は酸素原子であり；
Ｒ2が、水素原子であり；
Ｚが、場合により窒素原子及びイオウ原子から選択されるヘテロ原子３つ以下を含むことがある５〜１２員の単環式又は二環式芳香族環基であり、ここで、前記５〜１２員の単環式芳香族環基は、場合により、ハロゲン原子、Ｃ1-4アルキル基、ニトロ基、Ｒ3Ｃ（＝Ｏ）Ｎ（Ｒ4）−基、又はＱ2−基で置換されていることがあり；
Ｌが、ハロゲン原子、Ｃ1-4アルキル基、ハロゲン原子で置換されたＣ1-4アルキル基、ヒドロキシ基、Ｃ1-4アルコキシ基、ハロゲン原子で置換されたＣ1-4アルコキシ基、シアノ基、ＨＯ−Ｃ1-4アルキル基、アセチル基、Ｒ3Ｎ（Ｒ4）Ｃ（＝Ｏ）−基、Ｒ3Ｎ（Ｒ4）Ｓ（Ｏ）ｍ−基、Ｑ2−基、Ｑ2−Ｃ（＝Ｏ）−基であるか、あるいは隣接するＬ基２つが一緒になってメチレンジオキシ基を形成し；Ｒ3及びＲ4が、水素原子及びＣ1-4アルキル基から独立して選択され；そしてＱ2が、５又は６員の単環式芳香族環系である、請求項４に記載の化合物。
【請求項６】
Ｙ1、Ｙ2、Ｙ3、及びＹ4が、窒素原子、ＣＨ基、及びＣ−Ｌ基から独立して選択され；
Ｒ1が、場合により、Ｃ1-3アルキル基、ヒドロキシ基、オキソ基、５又は６員の単環式芳香族環基（ここで、前記５又は６員の単環式芳香族環基は、窒素原子及びイオウ原子から選択されるヘテロ原子１又は２つを含む）、又はＣ1-4アルキル−Ｃ（Ｏ）−Ｎ（Ｒ3）−基で置換されていることのあるＣ1-5アルキル基であり；
Ａが、フェニル基であり；
Ｂが、場合によりメチル基で置換されていることのあるＣ1-2アルキレン基であり；
Ｗが、ＮＨ基、Ｎ−ＣＨ3基、又は酸素原子であり；
Ｒ2が、水素原子であり；
Ｚが、窒素原子及びイオウ原子から選択されるヘテロ原子３つ以下を含む５〜１０員の単環式又は二環式芳香族環基であり、ここで、前記５〜１０員の単環式芳香族環基は、場合により、クロロ基、ブロモ基、メチル基、ニトロ基、ＣＨ3Ｃ（＝Ｏ）ＮＨ−基、ｔＢｕＣ（＝Ｏ）ＮＨ−基、又はフェニル基で置換されていることがあり；そして
Ｌが、クロロ基、メチル基、トリフルオロメチル基、ヒドロキシ基、メトキシ基、シアノ基、アセチル基、−Ｃ（＝Ｏ）ＮＨ2基、トリフルオロメチルオキシ基、メタンスルホニル基、又は１−ヒドロキシ−１−メチル−エチル基であるか、あるいは隣接するＬ基２つが一緒になってメチレンジオキシ基を形成する、請求項５に記載の化合物。
【請求項７】
Ｙ1、Ｙ2、Ｙ3、及びＹ4が、窒素原子、ＣＨ基、及びＣ−Ｌ基から独立して選択され；
Ｒ1が、メチル基、エチル基、ｎ−プロピル基、イソプロピル基、ｎ−ブチル基、イソブチル基、ネオペンチル基、チアゾリルエチル  メチルアミノ基、ジメチルアミノ基、ピロリジニル基、ピリジル基、又は１−アセチルアミノ−１−メチルエチル基であり；
Ａが、フェニル基であり；
Ｂが、エチレン基又はプロピレン基であり；
Ｗが、ＮＨ基、Ｎ−ＣＨ3基、又は酸素原子であり；
Ｒ2が、水素原子であり；
Ｚが、フェニル基、ピラゾリル基、チアゾリル基、チアジアゾリル基、チエニル基、ナフチル基、又はベンゾチエニル基であり、前記フェニル基、ピラゾリル基、チアゾリル基、チアジアゾリル基、及びチエニル基は、場合により、クロロ基、ブロモ基、メチル基、アセチルアミノ基、ピバロイルアミノ基、ニトロ基、及びフェニル基から独立して選択される置換基１〜３つで置換されていることがあり；そして
Ｌが、クロロ基、メチル基、トリフルオロメチル基、ヒドロキシ基、メトキシ基、シアノ基、アセチル基、−Ｃ（＝Ｏ）ＮＨ2基、トリフルオロメチルオキシ基、メタンスルホニル基、又は１−ヒドロキシ−１−メチル−エチル基であるか、あるいは隣接するＬ基２つが一緒になってメチレンジオキシ基を形成する、請求項６に記載の化合物。
【請求項８】
Ｙ1、Ｙ2、Ｙ3、及びＹ4が、以下の（ａ）〜（ｓ）からなる群から選択され：
（ａ）Ｙ1及びＹ3が、Ｃ（Ｌ）基であり、Ｙ2が、ＣＨ基であり、そしてＹ4が、窒素原子である；
（ｂ）Ｙ1が、ＣＨ基であり、Ｙ2及びＹ3が、Ｃ（Ｌ）基であり、そしてＹ4が、窒素原子である；
（ｃ）Ｙ1、Ｙ2、及びＹ3が、Ｃ（Ｌ）基であり、そしてＹ4が、窒素原子である；
（ｄ）Ｙ1及びＹ3が、Ｃ（Ｌ）基であり、Ｙ2が、窒素原子であり、そしてＹ4が、ＣＨ基である；
（ｅ）Ｙ1が、Ｃ（Ｌ）基であり、そしてＹ2、Ｙ3、及びＹ4が、ＣＨ基である；
（ｆ）Ｙ1、Ｙ3、及びＹ4が、ＣＨ基であり、そしてＹ2が、Ｃ（Ｌ）基である；
（ｇ）Ｙ1、Ｙ2、及びＹ3が、ＣＨ基であり、そしてＹ4が、Ｃ（Ｌ）基である；
（ｈ）Ｙ1及びＹ2が、Ｃ（Ｌ）基であり、そしてＹ3及びＹ4が、ＣＨ基である；
（ｉ）Ｙ1及びＹ3が、Ｃ（Ｌ）基であり、そしてＹ2及びＹ4が、ＣＨ基である；
（ｊ）Ｙ1及びＹ4が、ＣＨ基であり、そしてＹ2及びＹ3が、Ｃ（Ｌ）基である；
（ｋ）Ｙ1及びＹ2が、ＣＨ基であり、Ｙ3が、Ｃ（Ｌ）基であり、そしてＹ4が、窒素原子である；
（ｌ）Ｙ1及びＹ3が、ＣＨ基であり、Ｙ2が、Ｃ（Ｌ）基であり、そしてＹ4が、窒素原子である；
（ｍ）Ｙ1、Ｙ2、Ｙ3、及びＹ4が、ＣＨ基である；
（ｎ）Ｙ1及びＹ2が、Ｃ（Ｌ）基であり、Ｙ3が、ＣＨ基であり、そしてＹ4が、窒素原子である；
（ｏ）Ｙ1、Ｙ2、及びＹ4が、ＣＨ基であり、そしてＹ3が、Ｃ（Ｌ）基である；
（ｐ）Ｙ1及びＹ2が、Ｃ（Ｌ）基であり、Ｙ3が、窒素原子であり、そしてＹ4が、ＣＨ基である；
（ｑ）Ｙ1及びＹ3が、Ｃ（Ｌ）基であり、そしてＹ2及びＹ4が、窒素原子である；
（ｒ）Ｙ1が、Ｃ（Ｌ）基であり、Ｙ2及びＹ3が、ＣＨ基であり、そしてＹ4が、窒素原子である；及び
（ｓ）Ｙ2が、Ｃ（Ｌ）基であり、Ｙ1及びＹ3が、ＣＨ基であり、そしてＹ4が、窒素原子である；
Ｒ1が、メチル基、エチル基、ｎ−プロピル基、イソプロピル基、ｎ−ブチル基、イソブチル基、ネオペンチル基、チアゾリルエチル  メチルアミノ基、ジメチルアミノ基、ピロリジニル基、ピリジル基、又は１−アセチルアミノ−１−メチルエチル基であり；
Ａが、フェニル基であり；
Ｂが、エチレン基又はプロピレン基であり；
Ｗが、ＮＨ基、Ｎ−ＣＨ3基、又は酸素原子であり；
Ｒ2が、水素原子であり；
Ｚが、フェニル基、ピラゾリル基、チアゾリル基、チアジアゾリル基、チエニル基、ナフチル基、又はベンゾチエニル基であり、前記フェニル基、ピラゾリル基、チアゾリル基、チアジアゾリル基、及びチエニル基は、場合により、クロロ基、ブロモ基、メチル基、アセチルアミノ基、ピバロイルアミノ基、ニトロ基、及びフェニル基から独立して選択される置換基１〜３つで置換されていることがあり；そして
Ｌが、クロロ基、メチル基、トリフルオロメチル基、ヒドロキシ基、メトキシ基、シアノ基、アセチル基、−Ｃ（＝Ｏ）ＮＨ2基、トリフルオロメチルオキシ基、メタンスルホニル基、又は１−ヒドロキシ−１−メチル−エチル基であるか、あるいは隣接するＬ基２つが一緒になってメチレンジオキシ基を形成する、請求項７に記載の化合物。
【請求項９】
Ｙ1、Ｙ2、Ｙ3、及びＹ4が、以下の（ａ）〜（ｊ）からなる群から選択され：
（ａ）Ｙ1及びＹ3が、Ｃ（Ｌ）基であり、Ｙ2が、ＣＨ基であり、そしてＹ4が、窒素原子である；
（ｂ）Ｙ1が、ＣＨ基であり、Ｙ2及びＹ3が、Ｃ（Ｌ）基であり、そしてＹ4が、窒素原子である；
（ｃ）Ｙ1、Ｙ2、及びＹ3が、Ｃ（Ｌ）基であり、そしてＹ4が、窒素原子である；
（ｄ）Ｙ1及びＹ3が、Ｃ（Ｌ）基であり、Ｙ2が、窒素原子であり、そしてＹ4が、ＣＨ基である；
（ｅ）Ｙ1が、Ｃ（Ｌ）基であり、そしてＹ2、Ｙ3、及びＹ4が、ＣＨ基である；
（ｆ）Ｙ1、Ｙ3、及びＹ4が、ＣＨ基であり、そしてＹ2が、Ｃ（Ｌ）基である；
（ｇ）Ｙ1、Ｙ2、及びＹ3が、ＣＨ基であり、そしてＹ4が、Ｃ（Ｌ）基である；
（ｈ）Ｙ1及びＹ2が、Ｃ（Ｌ）基であり、そしてＹ3及びＹ4が、ＣＨ基である；
（ｉ）Ｙ1及びＹ3が、Ｃ（Ｌ）基であり、そしてＹ2及びＹ4が、ＣＨ基である；
及び
（ｊ）Ｙ1及びＹ4が、ＣＨ基であり、そしてＹ2及びＹ3が、Ｃ（Ｌ）基である；
Ｒ1が、メチル基、エチル基、ｎ−プロピル基、イソプロピル基、ｎ−ブチル基、イソブチル基、ネオペンチル基、チアゾリルエチル  メチルアミノ基、ジメチルアミノ基、ピロリジニル基、ピリジル基、又は１−アセチルアミノ−１−メチルエチル基であり；
Ａが、フェニル基であり；
Ｂが、エチレン基又はプロピレン基であり；
Ｗが、ＮＨ基、Ｎ−ＣＨ3基、又は酸素原子であり；
Ｒ2が、水素原子であり；
Ｚが、フェニル基、ピラゾリル基、チアゾリル基、チアジアゾリル基、チエニル基、ナフチル基、又はベンゾチエニル基であり、前記フェニル基、ピラゾリル基、チアゾリル基、チアジアゾリル基、及びチエニル基は、場合により、クロロ基、ブロモ基、メチル基、アセチルアミノ基、ピバロイルアミノ基、ニトロ基、及びフェニル基から独立して選択される置換基１〜３つで置換されていることがあり；そして
Ｌが、クロロ基、メチル基、トリフルオロメチル基、ヒドロキシ基、メトキシ基、シアノ基、アセチル基、−Ｃ（＝Ｏ）ＮＨ2基、トリフルオロメチルオキシ基、メタンスルホニル基、又は１−ヒドロキシ−１−メチル−エチル基であるか、あるいは隣接するＬ基２つが一緒になってメチレンジオキシ基を形成する、請求項８に記載の化合物。
【請求項１０】
３−（４−｛２−［（｛［（５−クロロ−１，３−ジメチル−１ｈ−ピラゾール−４−イル）スルホニル］アミノ｝カルボニル）アミノ］エチル｝フェニル）−２−エチル−５，７−ジメチル−３Ｈ−イミダゾ［４，５−ｂ］ピリジン；
３−（４−｛２−［（｛［（２，４−ジメチル−１，３−チアゾール−５−イル）スルホニル］アミノ｝カルボニル）アミノ］エチル｝フェニル）−２−エチル−５，７−ジメチル−３Ｈ−イミダゾ［４，５−ｂ］ピリジン；
Ｎ−［５−（｛［（｛２−［４−（２−エチル−５，７−ジメチル−３Ｈ−イミダゾ［４，５−ｂ］ピリジン−３−イル）フェニル］エチル｝アミノ）カルボニル］アミノ｝スルホニル）−１，３，４−チアジアゾール−２−イル］アセトアミド；
６−エチル−５−（４−｛２−［（｛［（４−メチルフェニル）スルホニル］アミノ｝カルボニル）アミノ］エチル｝フェニル）−５Ｈ−［１，３］ジオキソロ［４，５−ｆ］ベンゾイミダゾール；
６−クロロ−５−シアノ−２−エチル−１−（４−｛２−［（｛［（４−メチルフェニルスルホニル］アミノ｝カルボニル）アミノ］エチル｝フェニル）−１Ｈ−ベンゾイミダゾール；
２−エチル−５，７−ジメチル−３−（４−｛２−［メチル（｛［（４−メチルフェニル）スルホニル］アミノ｝カルボニル）アミノ］エチル｝フェニル）−３Ｈ−イミダゾ［４，５−ｂ］ピリジン；
２−エチル−５，７−ジメチル−３−（４−｛２−［（｛［（４−メチルフェニル）スルホニル］アミノ｝カルボニル）アミノ］プロピル｝フェニル）−３Ｈ−イミダゾ［４，５−ｂ］ピリジン；
２−［４−（２−エチル−５，７−ジメチル−３Ｈ−イミダゾ［４，５−ｂ］ピリジン−３−イル）フェニル］−１−メチルエチル（４−メチルフェニル）スルホニルカーバメート；
５，７−ジメチル−３−（４−｛２−［（｛［（４−メチルフェニル）スルホニル］アミノ｝カルボニル）アミノ］エチル｝フェニル）−２−プロピル−３Ｈ−イミダゾ［４，５−ｂ］ピリジン；
２−イソプロピル−５，７−ジメチル−３−（４−｛２−［（｛［（４−メチルフェニル）スルホニル］アミノ｝カルボニル）アミノ］エチル｝フェニル）−３Ｈ−イミダゾ［４，５−ｂ］ピリジン；
２−ブチル−５，７−ジメチル−３−（４−｛２−［（｛［（４−メチルフェニル）スルホニル］アミノ｝カルボニル）アミノ］エチル｝フェニル）−３Ｈ−イミダゾ［４，５−ｂ］ピリジン；
２−イソブチル−５，７−ジメチル−３−（４−｛２−［（｛［（４−メチルフェニル）スルホニル］アミノ｝カルボニル）アミノ］エチル｝フェニル）−３Ｈ−イミダゾ［４，５−ｂ］ピリジン；
５，７−ジメチル−３−（４−｛２−［（｛［（４−メチルフェニル）スルホニル］アミノ｝カルボニル）アミノ］エチル｝フェニル）−２−ネオペンチル−３Ｈ−イミダゾ［４，５−ｂ］ピリジン；
５，７−ジメチル−３−（４−｛２−［（｛［（４−メチルフェニル）スルホニル］アミノ｝カルボニル）アミノ］エチル｝フェニル）−２−［２−（１，３−チアゾール−２−イル）エチル］−３Ｈ−イミダゾ［４，５−ｂ］ピリジン；
３−｛４−［２−（｛［（４−ビフェニルスルホニル）アミノ］カルボニル｝アミノ）エチル］フェニル｝−２−エチル−５，７−ジメチル−３Ｈ−イミダゾ［４，５−ｂ］ピリジン；
２−エチル−５，７−ジメチル−３−｛４−［２−（｛［（１−ナフチルスルホニル）アミノ］カルボニル｝アミノ）エチル］フェニル｝−３Ｈ−イミダゾ［４，５−ｂ］ピリジン；
２−エチル−５，７−ジメチル−３−｛４−［２−（｛［（２−ナフチルスルホニル）アミノ］カルボニル｝アミノ）エチル］フェニル｝−３Ｈ−イミダゾ［４，５−ｂ］ピリジン；
２−エチル−５，７−ジメチル−３−（４−｛２−［（｛［（２−チエニル）スルホニル］アミノ｝カルボニル）アミノ］エチル｝フェニル）−３Ｈ−イミダゾ［４，５−ｂ］ピリジン；
３−（４−｛２−［（｛［（５−クロロ−２−チエニル）スルホニル］アミノ｝カルボニル）アミノ］エチル｝フェニル）−２−エチル−５，７−ジメチル−３Ｈ−イミダゾ［４，５−ｂ］ピリジン；
３−（４−｛２−［（｛［（４，５−ジクロロ−２−チエニル）スルホニル］アミノ｝カルボニル）アミノ］エチル｝フェニル）−２−エチル−５，７−ジメチル−３Ｈ−イミダゾ［４，５−ｂ］ピリジン；
３−｛４−［２−（｛［（１−ベンゾチエン−２−イルスルホニル）アミノ］カルボニル｝アミノ）エチル］フェニル｝−２−エチル−５，７−ジメチル−３Ｈ−イミダゾ［４，５−ｂ］ピリジン；
３−（４−｛２−［（｛［（２−クロロフェニル）スルホニル］アミノ｝カルボニル）アミノ］エチル｝フェニル）−２−エチル−５，７−ジメチル−３Ｈ−イミダゾ［４，５−ｂ］ピリジン；
２−エチル−５，６−ジメチル−３−（４−｛２−［（｛［（４−メチルフェニル）スルホニル］アミノ｝カルボニル）アミノ］エチル｝フェニル）−３Ｈ−イミダゾ［４，５−ｂ］ピリジン；
５，６−ジクロロ−２−エチル−３−（４−｛２−［（｛［（４−メチルフェニル）スルホニル］アミノ｝カルボニル）アミノ］エチル｝フェニル）−３Ｈ−イミダゾ［４，５−Ｂ］ピリジン；
５−クロロ−２−エチル−７−メチル−３−（４−｛２−［（｛［（４−メチルフェニル）スルホニル］アミノ｝カルボニル）アミノ］エチル｝フェニル）−３Ｈ−イミダゾ［４，５−ｂ］ピリジン；
６−シアノ−２−エチル−５，７−ジメチル−３−（４−｛２−［（｛［（４−メチルフェニル）スルホニル］アミノ｝カルボニル）アミノ］エチル｝フェニル）−３Ｈ−イミダゾ［４，５−ｂ］ピリジン；
２−エチル−４，６−ジメチル−１−（４−｛２−［（｛［（４−メチルフェニル）スルホニル］アミノ｝カルボニル）アミノ］エチル｝フェニル）−１Ｈ−イミダゾ［４，５−ｃ］ピリジン；
４−メチル−２−エチル−３−（４−｛２−［（｛［（４−メチルフェニル）スルホニル］アミノ｝カルボニル）アミノ］エチル｝フェニル）ベンゾイミダゾール；
７−クロロ−２−エチル−３−（４−｛２−［（｛［（４−メチルフェニル）スルホニル］アミノ｝カルボニル）アミノ］エチル｝フェニル）ベンゾイミダゾール；
５−メトキシ−２−エチル−３−（４−｛２−［（｛［（４−メチルフェニル）スルホニル］アミノ｝カルボニル）アミノ］エチル｝フェニル）ベンゾイミダゾール；
５−アセチル−２−エチル−３−（４−｛２−［（｛［（４−メチルフェニル）スルホニル］アミノ｝カルボニル）アミノ］エチル｝フェニル）ベンゾイミダゾール；
５−シアノ−２−エチル−１−（４−｛２−［（｛［（４−メチルフェニル）スルホニル］アミノ｝カルボニル）アミノ］エチル｝フェニル）−１Ｈ−ベンゾイミダゾール；
２−エチル−５−ヒドロキシ−１−（４−｛２−［（｛［（４−メチルフェニル）スルホニル］アミノ｝カルボニル）アミノ］エチル｝フェニル）−１Ｈ−ベンゾイミダゾール；
２−エチル−４，５−ジメチル−１−（４−｛２−［（｛［（４−メチルフェニル）スルホニル］アミノ｝カルボニル）アミノ］エチル｝フェニル）−１Ｈ−ベンゾイミダゾール；
４，６−ジメチル−２−エチル−３−（４−｛２−［（｛［（４−メチルフェニル）スルホニル］アミノ｝カルボニル）アミノ］エチル｝フェニル）ベンゾイミダゾール；
５，６−ジメチル−１−（４−｛２−［（｛［（４−メチルフェニル）スルホニル］アミノ｝カルボニル）アミノ］エチル｝フェニル）−１Ｈ−ベンゾイミダゾール；
５，６−ジクロロ−２−エチル−１−（４−｛２−［（｛［（４−メチルフェニル）スルホニル］アミノ｝カルボニル）アミノ］エチル｝フェニル）−１Ｈ−ベンゾイミダゾール；
２−［４−（５，６−ジクロロ−２−エチル−１Ｈ−ベンゾイミダゾール−１−イル）フェニル］エチル−（４−メチルフェニル）スルホニルカーバメート；
６−クロロ−５−トリフルオロメチル−１−（４−｛２−［（｛［（４−メチルフェニル）スルホニル］アミノ｝カルボニル）アミノ］エチル｝フェニル）−１Ｈ−ベンゾイミダゾール；
４−（６−クロロ−２−エチル−５−トリフルオロメチル−１Ｈ−ベンゾイミダゾール−１−イル）フェネチル−（４−メチルフェニル）スルホニルカーバメート；
５−クロロ−６−メチル−１−（４−｛２−［（｛［（４−メチルフェニル）スルホニル］アミノ｝カルボニル）アミノ］エチル｝フェニル）−１Ｈ−ベンゾイミダゾール；
６−クロロ−２−エチル−１−（４−｛２−［（｛［（４−メチルフェニル）スルホニル］アミノ｝カルボニル）アミノ］エチル｝フェニル）−１Ｈ−ベンゾイミダゾール−５−カルボキサミド；
２−エチル−３−｛４−［２−（｛［（｛３−［ヒドロキシ（オキシド）アミノ］フェニル｝スルホニル）アミノ］カルボニル｝アミノ）エチル］フェニル｝−５，７−ジメチル−３Ｈ−イミダゾ［４，５−ｂ］ピリジン；
３−（４−｛２−［（｛［（４−クロロフェニル）スルホニル］アミノ｝カルボニル）アミノ］エチル｝フェニル）−２−エチル−５，７−ジメチル−３Ｈ−イミダゾ［４，５−ｂ］ピリジン；
ｎ−［４−（｛［（｛２−［４−（２−エチル−５，７−ジメチル−３Ｈ−イミダゾ［４，５−ｂ］ピリジン−３−イル）フェニル］エチル｝アミノ）カルボニル］アミノ｝スルホニル）フェニル］−２，２−ジメチルプロパンアミド；
３−（４−｛２−［（｛［（２−クロロフェニル）スルホニル］アミノ｝カルボニル）アミノ］エチル｝フェニル）−２−エチル−５，７−ジメチル−３Ｈ−イミダゾ［４，５−ｂ］ピリジン；
３−（４−｛２−［（｛［（３−クロロフェニル）スルホニル］アミノ｝カルボニル）アミノ］エチル｝フェニル）−２−エチル−５，７−ジメチル−３Ｈ−イミダゾ［４，５−ｂ］ピリジン；
３−（４−｛２−［（｛［（５−クロロ−２−チエニル）スルホニル］アミノ｝カルボニル）アミノ］エチル｝フェニル）−２−エチル−５，７−ジメチル−３Ｈ−イミダゾ［４，５−ｂ］ピリジン；
３−（４−｛２−［（｛［（５−ブロモ−２−チエニル）スルホニル］アミノ｝カルボニル）アミノ］エチル｝フェニル）−２−エチル−５，７−ジメチル−３Ｈ−イミダゾ［４，５−ｂ］ピリジン；
３−（４−｛２−［（｛［（２−ブロモフェニル）スルホニル］アミノ｝カルボニル）アミノ］エチル｝フェニル）−２−エチル−５，７−ジメチル−３Ｈ−イミダゾ［４，５−ｂ］ピリジン；
３−｛４−［２−（｛［（｛４−クロロ−３−ニトロフェニル｝スルホニル）アミノ］カルボニル｝アミノ）エチル］フェニル｝−２−エチル−５，７−ジメチル−３Ｈ−イミダゾ［４，５−ｂ］ピリジン；
２−［４−（２−エチル−４，６−ジメチル−１Ｈ−イミダゾ［４，５−ｃ］ピリジン−１−イル）フェニル］エチル（４−メチルフェニル）スルホニルカーバメート；
２−｛４−［５，７−ジメチル−２−（メチルアミノ）−３Ｈ−イミダゾ［４，５−ｂ］ピリジン−３−イル］フェニル｝エチル（４−メチルフェニル）スルホニルカーバメート；
Ｎ−｛［（２−｛４−［５，７−ジメチル−２−（メチルアミノ）−３Ｈ−イミダゾ［４，５−ｂ］ピリジン−３−イル］フェニル｝エチル）アミノ］カルボニル｝−４−メチルベンゼンスルホンアミド；
Ｎ−｛［（２−｛４−［２−エチル−５−（１−ヒドロキシ−１−メチルエチル）−１Ｈ−ベンゾイミダゾール−１−イル］フェニル｝エチル）アミノ］カルボニル｝−４−メチルベンゼンスルホンアミド；
２−エチル−４，６−ジメチル−１−（４−｛２−［（｛［（４−メチルフェニル）スルホニル］アミノ｝カルボニル）アミノ］エチル｝フェニル）−１Ｈ−ベンゾイミダゾール−５−カルボキサミド；
２−｛４−［６−クロロ−２−エチル−５−（トリフルオロメチル）−１Ｈ−ベンゾイミダゾール−１−イル］フェニル｝エチル（２−クロロフェニル）スルホニルカーバメート；
２−｛５−［６−クロロ−２−エチル−５−（トリフルオロメチル）−１Ｈ−ベンゾイミダゾール−１−イル］−２−ピリジニル｝エチル（４−メチルフェニル）スルホニルカーバメート；
２−｛４−［６−クロロ−２−エチル−５−（トリフルオロメチル）−１Ｈ−ベンゾイミダゾール−１−イル］フェニル｝エチル（５−メチル−２−ピリジニル）スルホニルカーバメート；
２−｛４−［６−クロロ−２−（１Ｈ−ピラゾール−３−イル）−５−（トリフルオロメチル）−１Ｈ−ベンゾイミダゾール−１−イル］フェニル｝エチル（４−メチルフェニル）スルホニルカーバメート；
２−｛４−［６−クロロ−２−（４−ピリジニル）−５−（トリフルオロメチル）−１Ｈ−ベンゾイミダゾール−１−イル］フェニル｝エチル（４−メチルフェニル）スルホニルカーバメート；
２−｛４−［５−（アミノカルボニル）−６−クロロ−２−エチル−１Ｈ−ベンゾイミダゾール−１−イル］フェニル｝エチル（４−メチルフェニル）スルホニルカーバメート；
Ｎ−｛［（２−｛４−［６−クロロ−２−エチル−５−（メチルスルホニル）−１Ｈ−ベンゾイミダゾール−１−イル］フェニル｝エチル）アミノ］カルボニル｝−４−メチルベンゼンスルホンアミド；
２−｛４−［６−クロロ−２−エチル−５−（メチルスルホニル）−１Ｈ−ベンゾイミダゾール−１−イル］フェニル｝エチル（４−メチルフェニル）スルホニルカーバメート；
Ｎ−［（｛２−［４−（２−エチル−５，７−ジメチル−３Ｈ−イミダゾ［４，５−ｂ］ピリジン−３−イル）フェニル］エチル｝アミノ）カルボニル］−２−チオフェンスルホンアミド；
２−［４−（４，６−ジメチル−２−フェニル−１Ｈ−イミダゾ［４，５−ｃ］ピリジン−１−イル）フェニル］エチル（４−メチルフェニル）スルホニルカーバメート；
２−［４−（２−ブチル−４，６−ジメチル−１Ｈ−イミダゾ［４，５−ｃ］ピリジン−１−イル）フェニル］エチル（４−メチルフェニル）スルホニルカーバメート；
２−｛４−［６−クロロ−２−エチル−５−（トリフルオロメチル）−１Ｈ−ベンゾイミダゾール−１−イル］フェニル｝エチル（５−クロロ−１，３−ジメチル−１Ｈ−ピラゾール−４−イル）スルホニルカーバメート；
２−｛４−［４，６−ジメチル−２−（３−フェニルプロピル）−１Ｈ−イミダゾ［４，５−ｃ］ピリジン−１−イル］フェニル｝エチル（４−メチルフェニル）スルホニルカーバメート；
２−｛４−［６−クロロ−２−（２−ピリジニル）−５−（トリフルオロメチル）−１Ｈ−ベンゾイミダゾール−１−イル］フェニル｝エチル（４−メチルフェニル）スルホニルカーバメート；
（１Ｓ）−２−｛４−［６−クロロ−２−エチル−５−（トリフルオロメチル）−１Ｈ−ベンゾイミダゾール−１−イル］フェニル｝−１−メチルエチル（４−メチルフェニル）スルホニルカーバメート；
２−｛６−［６−クロロ−２−エチル−５−（トリフルオロメチル）−１Ｈ−ベンゾイミダゾール−１−イル］−３−ピリジニル｝エチル（４−メチルフェニル）スルホニルカーバメート；
Ｎ−｛［（２−｛４−［６−クロロ−２−（１−ヒドロキシ−１−メチルエチル）−５−（トリフルオロメチル）−１Ｈ−ベンゾイミダゾール−１−イル］フェニル｝エチル）アミノ］カルボニル｝−４−メチルベンゼンスルホンアミド；及び
Ｎ−｛［（２−｛４−［５，７−ジメチル−２−（１Ｈ−ピラゾール−３−イル）−３Ｈ−イミダゾ［４，５−ｂ］ピリジン−３−イル］フェニル｝エチル）アミノ］カルボニル｝−４−メチルベンゼンスルホンアミド；
２−｛４−［２−（１，１−ジメチルエチル）−４，６−ジメチル−１Ｈ−イミダゾ［４，５−ｃ］ピリジン−１−イル］フェニル｝エチル（４−メチルフェニル）スルホニルカーバメート；
２−｛４−［２−［１−（アセチルアミノ）−１−メチルエチル］−６−クロロ−５−（トリフルオロメチル）−１Ｈ−ベンゾイミダゾール−１−イル］フェニル｝エチル（４−メチルフェニル）スルホニルカーバメート；
６−クロロ−２−エチル−１−（４−｛２−［メチル（｛［（４−メチルフェニル）スルホニル］アミノ｝カルボニル）アミノ］エチル｝フェニル）−１Ｈ−ベンゾイミダゾール−５−カルボキサミド；及び
それらの塩から選択される、請求項１に記載の化合物。
【請求項１１】
６−エチル−５−（４−｛２−［（｛［（４−メチルフェニル）スルホニル］アミノ｝カルボニル）アミノ］エチル｝フェニル）−５Ｈ−［１，３］ジオキソロ［４，５−ｆ］ベンゾイミダゾール；
６−クロロ−５−シアノ−２−エチル−１−（４−｛２−［（｛［（４−メチルフェニルスルホニル］アミノ｝カルボニル）アミノ］エチル｝フェニル）−１Ｈ−ベンゾイミダゾール；
２−［４−（２−エチル−５，７−ジメチル−３Ｈ−イミダゾ［４，５−ｂ］ピリジン−３−イル）フェニル］−１−メチルエチル（４−メチルフェニル）スルホニルカーバメート；
５，７−ジメチル−３−（４−｛２−［（｛［（４−メチルフェニル）スルホニル］アミノ｝カルボニル）アミノ］エチル｝フェニル）−２−［２−（１，３−チアゾール−２−イル）エチル］−３Ｈ−イミダゾ［４，５−ｂ］ピリジン；
２−エチル−５，７−ジメチル−３−（４−｛２−［（｛［（２−チエニル）スルホニル］アミノ｝カルボニル）アミノ］エチル｝フェニル）−３Ｈ−イミダゾ［４，５−ｂ］ピリジン；
３−（４−｛２−［（｛［（２−クロロフェニル）スルホニル］アミノ｝カルボニル）アミノ］エチル｝フェニル）−２−エチル−５，７−ジメチル−３Ｈ−イミダゾ［４，５−ｂ］ピリジン；
２−エチル−５，６−ジメチル−３−（４−｛２−［（｛［（４−メチルフェニル）スルホニル］アミノ｝カルボニル）アミノ］エチル｝フェニル）−３Ｈ−イミダゾ［４，５−ｂ］ピリジン；
５，６−ジクロロ−２−エチル−３−（４−｛２−［（｛［（４−メチルフェニル）スルホニル］アミノ｝カルボニル）アミノ］エチル｝フェニル）−３Ｈ−イミダゾ［４，５−Ｂ］ピリジン；
２−エチル−４，６−ジメチル−１−（４−｛２−［（｛［（４−メチルフェニル）スルホニル］アミノ｝カルボニル）アミノ］エチル｝フェニル）−１Ｈ−イミダゾ［４，５−ｃ］ピリジン；
５−メトキシ−２−エチル−３−（４−｛２−［（｛［（４−メチルフェニル）スルホニル］アミノ｝カルボニル）アミノ］エチル｝フェニル）ベンゾイミダゾール；
５−アセチル−２−エチル−３−（４−｛２−［（｛［（４−メチルフェニル）スルホニル］アミノ｝カルボニル）アミノ］エチル｝フェニル）ベンゾイミダゾール；
５−シアノ−２−エチル−１−（４−｛２−［（｛［（４−メチルフェニル）スルホニル］アミノ｝カルボニル）アミノ］エチル｝フェニル）−１Ｈ−ベンゾイミダゾール；
２−エチル−５−ヒドロキシ−１−（４−｛２−［（｛［（４−メチルフェニル）スルホニル］アミノ｝カルボニル）アミノ］エチル｝フェニル）−１Ｈ−ベンゾイミダゾール；
２−エチル−４，５−ジメチル−１−（４−｛２−［（｛［（４−メチルフェニル）スルホニル］アミノ｝カルボニル）アミノ］エチル｝フェニル）−１Ｈ−ベンゾイミダゾール；
４−（６−クロロ−２−エチル−５−トリフルオロメチル−１Ｈ−ベンゾイミダゾール−１−イル）フェネチル−（４−メチルフェニル）スルホニルカーバメート；及び
６−クロロ−２−エチル−１−（４−｛２−［（｛［（４−メチルフェニル）スルホニル］アミノ｝カルボニル）アミノ］エチル｝フェニル）−１Ｈ−ベンゾイミダゾール−５−カルボキサミド；
２−［４−（２−エチル−４，６−ジメチル−１Ｈ−イミダゾ［４，５−ｃ］ピリジン−１−イル）フェニル］エチル（４−メチルフェニル）スルホニルカーバメート；
２−｛４−［５，７−ジメチル−２−（メチルアミノ）−３Ｈ−イミダゾ［４，５−ｂ］ピリジン−３−イル］フェニル｝エチル（４−メチルフェニル）スルホニルカーバメート；
Ｎ−｛［（２−｛４−［５，７−ジメチル−２−（メチルアミノ）−３Ｈ−イミダゾ［４，５−ｂ］ピリジン−３−イル］フェニル｝エチル）アミノ］カルボニル｝−４−メチルベンゼンスルホンアミド；
Ｎ−｛［（２−｛４−［２−エチル−５−（１−ヒドロキシ−１−メチルエチル）−１Ｈ−ベンゾイミダゾール−１−イル］フェニル｝エチル）アミノ］カルボニル｝−４−メチルベンゼンスルホンアミド；
２−エチル−４，６−ジメチル−１−（４−｛２−［（｛［（４−メチルフェニル）スルホニル］アミノ｝カルボニル）アミノ］エチル｝フェニル）−１Ｈ−ベンゾイミダゾール−５−カルボキサミド；
２−｛４−［６−クロロ−２−エチル−５−（トリフルオロメチル）−１Ｈ−ベンゾイミダゾール−１−イル］フェニル｝エチル（２−クロロフェニル）スルホニルカーバメート；
２−｛５−［６−クロロ−２−エチル−５−（トリフルオロメチル）−１Ｈ−ベンゾイミダゾール−１−イル］−２−ピリジニル｝エチル（４−メチルフェニル）スルホニルカーバメート；
２−｛４−［６−クロロ−２−エチル−５−（トリフルオロメチル）−１Ｈ−ベンゾイミダゾール−１−イル］フェニル｝エチル（５−メチル−２−ピリジニル）スルホニルカーバメート；
２−｛４−［６−クロロ−２−（１Ｈ−ピラゾール−３−イル）−５−（トリフルオロメチル）−１Ｈ−ベンゾイミダゾール−１−イル］フェニル｝エチル（４−メチルフェニル）スルホニルカーバメート；
２−｛４−［６−クロロ−２−（４−ピリジニル）−５−（トリフルオロメチル）−１Ｈ−ベンゾイミダゾール−１−イル］フェニル｝エチル（４−メチルフェニル）スルホニルカーバメート；
２−｛４−［５−（アミノカルボニル）−６−クロロ−２−エチル−１Ｈ−ベンゾイミダゾール−１−イル］フェニル｝エチル（４−メチルフェニル）スルホニルカーバメート；
Ｎ−｛［（２−｛４−［６−クロロ−２−エチル−５−（メチルスルホニル）−１Ｈ−ベンゾイミダゾール−１−イル］フェニル｝エチル）アミノ］カルボニル｝−４−メチルベンゼンスルホンアミド；
２−｛４−［６−クロロ−２−エチル−５−（メチルスルホニル）−１Ｈ−ベンゾイミダゾール−１−イル］フェニル｝エチル（４−メチルフェニル）スルホニルカーバメート；
Ｎ−［（｛２−［４−（２−エチル−５，７−ジメチル−３Ｈ−イミダゾ［４，５−ｂ］ピリジン−３−イル）フェニル］エチル｝アミノ）カルボニル］−２−チオフェンスルホンアミド；
２−［４−（４，６−ジメチル−２−フェニル−１Ｈ−イミダゾ［４，５−ｃ］ピリジン−１−イル）フェニル］エチル（４−メチルフェニル）スルホニルカーバメート；
２−［４−（２−ブチル−４，６−ジメチル−１Ｈ−イミダゾ［４，５−ｃ］ピリジン−１−イル）フェニル］エチル（４−メチルフェニル）スルホニルカーバメート；
２−｛４−［６−クロロ−２−エチル−５−（トリフルオロメチル）−１Ｈ−ベンゾイミダゾール−１−イル］フェニル｝エチル（５−クロロ−１，３−ジメチル−１Ｈ−ピラゾール−４−イル）スルホニルカーバメート；
２−｛４−［４，６−ジメチル−２−（３−フェニルプロピル）−１Ｈ−イミダゾ［４，５−ｃ］ピリジン−１−イル］フェニル｝エチル（４−メチルフェニル）スルホニルカーバメート；
２−｛４−［６−クロロ−２−（２−ピリジニル）−５−（トリフルオロメチル）−１Ｈ−ベンゾイミダゾール−１−イル］フェニル｝エチル（４−メチルフェニル）スルホニルカーバメート；
（１Ｓ）−２−｛４−［６−クロロ−２−エチル−５−（トリフルオロメチル）−１Ｈ−ベンゾイミダゾール−１−イル］フェニル｝−１−メチルエチル（４−メチルフェニル）スルホニルカーバメート；
２−｛６−［６−クロロ−２−エチル−５−（トリフルオロメチル）−１Ｈ−ベンゾイミダゾール−１−イル］−３−ピリジニル｝エチル（４−メチルフェニル）スルホニルカーバメート；
Ｎ−｛［（２−｛４−［６−クロロ−２−（１−ヒドロキシ−１−メチルエチル）−５−（トリフルオロメチル）−１Ｈ−ベンゾイミダゾール−１−イル］フェニル｝エチル）アミノ］カルボニル｝−４−メチルベンゼンスルホンアミド；及び
Ｎ−｛［（２−｛４−［５，７−ジメチル−２−（１Ｈ−ピラゾール−３−イル）−３Ｈ−イミダゾ［４，５−ｂ］ピリジン−３−イル］フェニル｝エチル）アミノ］カルボニル｝−４−メチルベンゼンスルホンアミド；
２−｛４−［２−（１，１−ジメチルエチル）−４，６−ジメチル−１Ｈ−イミダゾ［４，５−ｃ］ピリジン−１−イル］フェニル｝エチル（４−メチルフェニル）スルホニルカーバメート；
２−｛４−［２−［１−（アセチルアミノ）−１−メチルエチル］−６−クロロ−５−（トリフルオロメチル）−１Ｈ−ベンゾイミダゾール−１−イル］フェニル｝エチル（４−メチルフェニル）スルホニルカーバメート；
６−クロロ−２−エチル−１−（４−｛２−［メチル（｛［（４−メチルフェニル）スルホニル］アミノ｝カルボニル）アミノ］エチル｝フェニル）−１Ｈ−ベンゾイミダゾール−５−カルボキサミド；及び
それらの塩から選択される、請求項１に記載の化合物。
【請求項１２】
２−エチル−４，６−ジメチル−１−（４−｛２−［（｛［（４−メチルフェニル）スルホニル］アミノ｝カルボニル）アミノ］エチル｝フェニル）−１Ｈ−イミダゾ［４，５−ｃ］ピリジン又は医薬として許容されるその塩。
【請求項１３】
ヒトを含む哺乳動物におけるプロスタグランジンにより仲介される障害又は症状を治療するための医薬組成物であって、有効量の、請求項１〜１２のいずれか１項に記載の化合物、又は医薬として許容されるその塩、及び医薬として許容される担体を含む前記医薬組成物。
【請求項１４】
ヒトを含む哺乳動物対象においてプロスタグランジンが病因として関連するところの医学的症状の治療のための医薬組成物であって、有効量の、請求項１〜１２のいずれか１項に記載の化合物、又は医薬として許容されるその塩、及び医薬として許容される担体を含む前記医薬組成物。
【請求項１５】
ヒトを含む哺乳動物におけるプロスタグランジンにより仲介される障害又は症状を治療するための医薬組成物であって、請求項１〜１２のいずれか１項に記載の化合物、又は医薬として許容されるその塩、医薬として許容される担体、及び場合により、１以上の他の薬理学的活性成分を含む前記医薬組成物。
【請求項１６】
ヒトを含む哺乳動物対象においてプロスタグランジンが病因として関連するところの医学的症状の治療のための医薬組成物であって、請求項１〜１２のいずれか１項に記載の化合物、又は医薬として許容されるその塩、医薬として許容される担体、及び場合により、１以上の他の薬理学的活性成分を含む前記医薬組成物。
【請求項１７】
以下の式（ＩＩ）：
【化２】
2004517054.tif 000002
［式中、Ｙ1、Ｙ2、Ｙ3、及びＹ4は、窒素原子、ＣＨ基、又はＣ（Ｌ）基から独立して選択され；
Ｒ1は、水素原子、Ｃ1-8アルキル基、Ｃ2-8アルケニル基、Ｃ2-8アルキニル基、Ｃ3-7シクロアルキル基、Ｃ1-8アルコキシ基、ハロゲン原子で置換されたＣ1-8アルコキシ基、Ｃ1-8アルキル−Ｓ（Ｏ）ｍ−基、Ｑ1−基、アミノ基、モノ−又はジ−（Ｃ1-8アルキル）アミノ基、Ｃ1-4アルキル−Ｃ（＝Ｏ）−Ｎ（Ｒ3）−基、又はＣ1-4アルキル−Ｓ（Ｏ）ｍ−Ｎ（Ｒ3）−基であり、ここで、前記Ｃ1-8アルキル基、Ｃ2-8アルケニル基、及びＣ2-8アルキニル基は、場合により、ハロゲン原子、Ｃ1-3アルキル基、Ｃ1-4アルコキシ−基、Ｃ1-4アルキル−Ｓ（Ｏ）ｍ−基、Ｃ3-7シクロアルキル−基、シアノ基、インダニル基、１，２，３，４−テトラヒドロナフチル基、１，２−ジヒドロナフチル基、Ｑ1−基、Ｑ1−Ｃ（＝Ｏ）−基、Ｑ1−Ｏ−基、Ｑ1−Ｓ（Ｏ）ｍ−基、Ｑ1−Ｃ1-4アルキル−Ｏ−基、Ｑ1−Ｃ1-4アルキル−Ｓ（Ｏ）ｍ−基、Ｑ1−Ｃ1-4アルキル−Ｃ（Ｏ）−Ｎ（Ｒ3）−基、Ｑ1−Ｃ1-4アルキル−Ｎ（Ｒ3）−基、又はＣ1-4アルキル−Ｃ（Ｏ）−Ｎ（Ｒ3）−基で置換されていることがあり；
Ｑ1は、場合により、酸素原子、窒素原子、及びイオウ原子から選択されるヘテロ原子４つ以下を含むことがあり、且つ場合により、ハロゲン原子、Ｃ1-4アルキル基、ハロゲン原子で置換されたＣ1-4アルキル基、ヒドロキシ基、Ｃ1-4アルコキシ基、ハロゲン原子で置換されたＣ1-4アルコキシ基、Ｃ1-4アルキルチオ基、ニトロ基、アミノ基、モノ−又はジ−（Ｃ1-4アルキル）アミノ基、シアノ基、ＨＯ−Ｃ1-4アルキル基、Ｃ1-4アルコキシ−Ｃ1-4アルキル基、Ｃ1-4アルキルスルホニル基、アミノスルホニル基、Ｃ1-4アルキルＣ（＝Ｏ）−基、ＨＯ（Ｏ＝）Ｃ−基、Ｃ1-4アルキル−Ｏ（Ｏ＝）Ｃ−基、Ｒ3Ｎ（Ｒ4）Ｃ（＝Ｏ）−基、Ｃ1-4アルキルスルホニルアミノ基、Ｃ3-7シクロアルキル基、Ｒ3Ｃ（＝Ｏ）Ｎ（Ｒ4）−基、又はＮＨ2（ＨＮ＝）Ｃ−基で置換されていることがある５〜１２員の単環式又は二環式芳香族環基であり；
Ａは、場合により置換基３つ以下で置換されていることのあるベンゼン環又は場合により置換基３つ以下で置換されていることのあるピリジン環であり、ここで、前記置換基は、ハロゲン原子、Ｃ1-4アルキル基、ハロゲン原子で置換されたＣ1-4アルキル基、ヒドロキシ基、Ｃ1-4アルコキシ基、ハロゲン原子で置換されたＣ1-4アルコキシ基、Ｃ1-4アルキルチオ基、ニトロ基、アミノ基、モノ−又はジ−（Ｃ1-4アルキル）アミノ基、シアノ基、ＨＯ−Ｃ1-4アルキル基、Ｃ1-4アルコキシ−Ｃ1-4アルキル基、Ｃ1-4アルキルスルホニル基、アミノスルホニル基、アセチル基、Ｒ3Ｎ（Ｒ4）Ｃ（＝Ｏ）−基、ＨＯ（Ｏ＝）Ｃ−基、Ｃ1-4アルキル−Ｏ（Ｏ＝）Ｃ−基、Ｃ1-4アルキルスルホニルアミノ基、Ｃ3-7シクロアルキル基、Ｒ3Ｃ（＝Ｏ）Ｎ（Ｒ4）−基、及びＮＨ2（ＨＮ＝）Ｃ−基から選択され；
Ｂは、場合によりＣ1-3アルキル基で置換されていることのある、Ｃ2-6アルキレン基、Ｃ3-7シクロアルキレン基、Ｃ2-6アルケニレン基、又はＣ2-6アルキニレン基であり；
Ｗが、ＮＨ基、又は酸素原子であり；
Ｐは、水素原子、保護基、又はＱ3−ＯＣ（＝Ｏ）−基であり；
Ｑ3は、場合により、ハロゲン原子、Ｃ1-4アルキル基、Ｃ1-4アルコキシ基、Ｃ1-4アルキルチオ基、ニトロ基、シアノ基、Ｃ1-4アルキルスルホニル基、Ｃ1-4アルキルＣ（＝Ｏ）−基、ＨＯ（Ｏ＝）Ｃ−基、又はＣ1-4アルキル−Ｏ（Ｏ＝）Ｃ−基で置換されていることのある６〜１０員の単環式又は二環式芳香族環基であり；
Ｌは、ハロゲン原子、Ｃ1-4アルキル基、ハロゲン原子で置換されたＣ1-4アルキル基、ヒドロキシ基、Ｃ1-4アルコキシ基、ハロゲン原子で置換されたＣ1-4アルコキシ基、Ｃ1-4アルキルチオ基、ニトロ基、アミノ基、モノ−又はジ−（Ｃ1-4アルキル）アミノ基、シアノ基、ＨＯ−Ｃ1-4アルキル基、Ｃ1-4アルコキシ−Ｃ1-4アルキル基、Ｃ1-4アルキルスルホニル基、アミノスルホニル基、Ｃ1-4アルキルＣ（＝Ｏ）−基、ＨＯ（Ｏ＝）Ｃ−基、Ｃ1-4アルキル−Ｏ（Ｏ＝）Ｃ−基、Ｃ1-4アルキルスルホニルアミノ基、Ｃ3-7シクロアルキル基、Ｒ3Ｃ（＝Ｏ）Ｎ（Ｒ4）−基、ＮＨ2（ＨＮ＝）Ｃ−基、Ｒ3Ｎ（Ｒ4）Ｃ（＝Ｏ）−基、又はＲ3Ｎ（Ｒ4）Ｓ（Ｏ）ｍ−基であるか、あるいは隣接するＬ基２つが、場合により一緒になって、環メンバー３又は４つを有し、前記環メンバーの内の炭素原子１つ又は（隣接していない）炭素原子２つが酸素原子で場合により置換されていることがあるアルキレン鎖を形成することがあり；
ｍは、０、１、又は２であり；そして
Ｒ3及びＲ4が、水素原子及びＣ1-4アルキル基から独立して選択される］で表される化合物、又はその塩。
【請求項１８】
以下の式（ＩＩＩ）：
【化３】
2004517054.tif 000003
［式中、Ｙ1、Ｙ2、Ｙ3、及びＹ4は、窒素原子、ＣＨ基、又はＣ（Ｌ）基から独立して選択され；
Ｒ1は、水素原子、Ｃ1-8アルキル基、Ｃ2-8アルケニル基、Ｃ2-8アルキニル基、Ｃ3-7シクロアルキル基、Ｃ1-8アルコキシ基、ハロゲン原子で置換されたＣ1-8アルコキシ基、Ｃ1-8アルキル−Ｓ（Ｏ）ｍ−基、Ｑ1−基、アミノ基、モノ−又はジ−（Ｃ1-8アルキル）アミノ基、Ｃ1-4アルキル−Ｃ（＝Ｏ）−Ｎ（Ｒ3）−基、又はＣ1-4アルキル−Ｓ（Ｏ）ｍ−Ｎ（Ｒ3）−基であり、ここで、前記Ｃ1-8アルキル基、Ｃ2-8アルケニル基、及びＣ2-8アルキニル基は、場合により、ハロゲン原子、Ｃ1-3アルキル基、Ｃ1-4アルコキシ−基、Ｃ1-4アルキル−Ｓ（Ｏ）ｍ−基、Ｃ3-7シクロアルキル−基、シアノ基、インダニル基、１，２，３，４−テトラヒドロナフチル基、１，２−ジヒドロナフチル基、Ｑ1−基、Ｑ1−Ｃ（＝Ｏ）−基、Ｑ1−Ｏ−基、Ｑ1−Ｓ（Ｏ）ｍ−基、Ｑ1−Ｃ1-4アルキル−Ｏ−基、Ｑ1−Ｃ1-4アルキル−Ｓ（Ｏ）ｍ−基、Ｑ1−Ｃ1-4アルキル−Ｃ（Ｏ）−Ｎ（Ｒ3）−基、Ｑ1−Ｃ1-4アルキル−Ｎ（Ｒ3）−基、又はＣ1-4アルキル−Ｃ（Ｏ）−Ｎ（Ｒ3）−基で置換されていることがあり；
Ｑ1は、場合により、酸素原子、窒素原子、及びイオウ原子から選択されるヘテロ原子４つ以下を含むことがあり、且つ場合により、ハロゲン原子、Ｃ1-4アルキル基、ハロゲン原子で置換されたＣ1-4アルキル基、ヒドロキシ基、Ｃ1-4アルコキシ基、ハロゲン原子で置換されたＣ1-4アルコキシ基、Ｃ1-4アルキルチオ基、ニトロ基、アミノ基、モノ−又はジ−（Ｃ1-4アルキル）アミノ基、シアノ基、ＨＯ−Ｃ1-4アルキル基、Ｃ1-4アルコキシ−Ｃ1-4アルキル基、Ｃ1-4アルキルスルホニル基、アミノスルホニル基、Ｃ1-4アルキルＣ（＝Ｏ）−基、ＨＯ（Ｏ＝）Ｃ−基、Ｃ1-4アルキル−Ｏ（Ｏ＝）Ｃ−基、Ｒ3Ｎ（Ｒ4）Ｃ（＝Ｏ）−基、Ｃ1-4アルキルスルホニルアミノ基、Ｃ3-7シクロアルキル基、Ｒ3Ｃ（＝Ｏ）Ｎ（Ｒ4）−基、又はＮＨ2（ＨＮ＝）Ｃ−基で置換されていることがある５〜１２員の単環式又は二環式芳香族環基であり；
Ａは、場合により置換基３つ以下で置換されていることのあるベンゼン環又は場合により置換基３つ以下で置換されていることのあるピリジン環であり、ここで、前記置換基は、ハロゲン原子、Ｃ1-4アルキル基、ハロゲン原子で置換されたＣ1-4アルキル基、ヒドロキシ基、Ｃ1-4アルコキシ基、ハロゲン原子で置換されたＣ1-4アルコキシ基、Ｃ1-4アルキルチオ基、ニトロ基、アミノ基、モノ−又はジ−（Ｃ1-4アルキル）アミノ基、シアノ基、ＨＯ−Ｃ1-4アルキル基、Ｃ1-4アルコキシ−Ｃ1-4アルキル基、Ｃ1-4アルキルスルホニル基、アミノスルホニル基、アセチル基、Ｒ3Ｎ（Ｒ4）Ｃ（＝Ｏ）−基、ＨＯ（Ｏ＝）Ｃ−基、Ｃ1-4アルキル−Ｏ（Ｏ＝）Ｃ−基、Ｃ1-4アルキルスルホニルアミノ基、Ｃ3-7シクロアルキル基、Ｒ3Ｃ（＝Ｏ）Ｎ（Ｒ4）−基、及びＮＨ2（ＨＮ＝）Ｃ−基から選択され；
Ｂは、場合によりＣ1-3アルキル基で置換されていることのある、Ｃ2-6アルキレン基、Ｃ3-7シクロアルキレン基、Ｃ2-6アルケニレン基、又はＣ2-6アルキニレン基であり；
Ｗは、ＮＨ基、又は酸素原子であり；
Ｐは、水素原子、保護基、又はＺ−Ｓ（Ｏ）2−Ｎ（Ｒ2）−Ｃ（＝Ｏ）−基であり；
Ｚは、場合により、酸素原子、窒素原子、及びイオウ原子から選択されるヘテロ原子３つ以下を含むことがある５〜１２員の単環式又は二環式芳香族環基であり、ここで、前記５〜１２員の単環式又は二環式芳香族環基は、場合により、ハロゲン原子、Ｃ1-4アルキル基、ハロゲン原子で置換されたＣ1-4アルキル基、Ｃ1-4アルケニル基、Ｃ1-4アルキニル基、ヒドロキシ基、Ｃ1-4アルコキシ基、ハロゲン原子で置換されたＣ1-4アルコキシ基、Ｃ1-4アルキルチオ基、ニトロ基、アミノ基、モノ−又はジ−（Ｃ1-4アルキル）アミノ基、シアノ基、ＨＯ−Ｃ1-4アルキル基、Ｃ1-4アルコキシ−Ｃ1-4アルキル基、Ｃ1-4アルキルスルホニル基、アミノスルホニル基、Ｃ1-4アルキルＣ（＝Ｏ）−基、Ｒ3Ｃ（＝Ｏ）Ｎ（Ｒ4）−基、ＨＯ（Ｏ＝）Ｃ−基、Ｃ1-4アルキル−Ｏ（Ｏ＝）Ｃ−基、Ｃ1-4アルキルスルホニルアミノ基、Ｃ3-7シクロアルキル基、ＮＨ2（ＨＮ＝）Ｃ−基、Ｑ2−Ｓ（Ｏ）ｍ−基、Ｑ2−Ｏ−基、Ｑ2−Ｎ（Ｒ3）−基、又はＱ2−基で置換されていることがあり；
Ｌは、ハロゲン原子、Ｃ1-4アルキル基、ハロゲン原子で置換されたＣ1-4アルキル基、ヒドロキシ基、Ｃ1-4アルコキシ基、ハロゲン原子で置換されたＣ1-4アルコキシ基、Ｃ1-4アルキルチオ基、ニトロ基、アミノ基、モノ−又はジ−（Ｃ1-4アルキル）アミノ基、シアノ基、ＨＯ−Ｃ1-4アルキル基、Ｃ1-4アルコキシ−Ｃ1-4アルキル基、Ｃ1-4アルキルスルホニル基、アミノスルホニル基、Ｃ1-4アルキルＣ（＝Ｏ）−基、ＨＯ（Ｏ＝）Ｃ−基、Ｃ1-4アルキル−Ｏ（Ｏ＝）Ｃ−基、Ｃ1-4アルキルスルホニルアミノ基、Ｃ3-7シクロアルキル基、Ｒ3Ｃ（＝Ｏ）Ｎ（Ｒ4）−基、ＮＨ2（ＨＮ＝）Ｃ−基、Ｒ3Ｎ（Ｒ4）Ｃ（＝Ｏ）−基、又はＲ3Ｎ（Ｒ4）Ｓ（Ｏ）ｍ−基であるか、あるいは隣接するＬ基２つが、場合により一緒になって、環メンバー３又は４つを有し、前記環メンバーの内の炭素原子１つ又は（隣接していない）炭素原子２つが酸素原子で場合により置換されていることがあるアルキレン鎖を形成することがあり；
ｍは、０、１、又は２であり；そして
Ｒ2、Ｒ3、及びＲ4は、水素原子及びＣ1-4アルキル基から独立して選択される］で表される化合物、又はその塩。